(57)【要約】【課題】      簡単な装置で鳩等が手摺に止まるのを確実に防止することが出来る防鳥装置を提供することを目的とする。【解決手段】  手摺取付部１０の上面に、傾斜部２０と突出部３０が固定されている。手摺取付部１０は２枚の板状体１１、１２を組み合わせて形成されている。板状体１１突出部３０が固定されている。突出部３０の先端近傍には螺子３２が螺着されており、この螺子３２に防鳥糸を取り付けるものである。傾斜部２０は、突出部３０と一体に形成されており、突出部２０の基端部から鉛直面ｖに対する角度αは略５０度となっている。傾斜部２０には、所定間隔で４個の螺子２１が螺着されており、この螺子２１に防鳥糸を取り付けるものである。そして、手摺取付部１０を手摺２に所定間隔で設けるとともに、螺子３２及び螺子２１間に防鳥糸を張設する。  【００２２】【選択図】        図３
2007236212.tif 000002
【特許請求の範囲】
【請求項１】
手摺に取り付ける手摺取付部と、該手摺取付部に設けられ手摺の上方において内側に行くに従って高くなるように形成された傾斜部と、該手摺取付部に設けられ手摺の外側面より外側に突出する突出部と、該傾斜部に設けられ防鳥糸を取り付けるための複数の糸取付部材と、該突出部に設けられ防鳥糸を取り付けるための少なくとも１個の糸取付部材とを有することを特徴とする防鳥装置。
【請求項２】
前記傾斜部が、鉛直面に対し３０〜７０度の角度で形成されていることを特徴とする請求項１記載の防鳥装置。
【請求項３】
前記傾斜部に設けた複数の糸取付部材が、１５〜２５ｍｍの間隔で設けられていることを特徴とする請求項１又は２記載の防鳥装置。
【請求項４】
前記突出部に設けた糸取付部材の手摺取付部の外側面からの長さが４０〜６０ｍｍであることを特徴とする請求項１、２又は３記載の防鳥装置。
【発明の詳細な説明】
【技術分野】
【０００１】
本発明は、マンション等の手摺に鳩等が止まるのを防止する防鳥装置に関するものである。
【背景技術】
【０００２】
近年、市街部において鳩が増加し、鳩の糞による公害が問題となっており、特に、マンション等の共同住宅におけるベランダでの被害が大きな社会問題となっている。すなわち、鳩が手摺に止まったり、また、ベランダの床まで侵入して来たりすることがあり、これらの鳩が糞をすると、手摺やベランダが汚れ、極めて衛生上好ましくないものであった。
【０００３】
したがって、鳩が手摺に止まるのを防止したり、ベランダの床まで浸入するのを防止する手段が各種提案されていた。例えば、鳩が手摺に止まるのを防止するために、手摺の上面に防鳥糸を張設したり、また、手摺と天井間の開放部を角形の枠体で囲い、その枠体の開口を巻取り軸に巻き取られたネットによって開閉自在とした鳥の侵入防止装置が提案されている（特許文献１参照）。
【０００４】
【特許文献１】特開２００１−１３６８９３号公報
【発明の開示】
【発明が解決しようとする課題】
【０００５】
しかしながら、上述した防鳥糸を張設した手段では、鳩が手摺に止まるのを完全に防止することができないものであった。また、枠体と、その開口をネットによって開閉自在とした鳥の侵入防止装置は、装置が大掛かりとなり、高価になるとともに、外観上も好ましいものでなかった。
【０００６】
本発明は、以上の問題点を解決し、簡単な装置で鳩等が手摺に止まるのを確実に防止することが出来る防鳥装置を提供することを目的とする。
【課題を解決するための手段】
【０００７】
本発明者は、上記目的を達成するために鋭意検討し、手摺より外方向に突出する個所において、防鳥糸を手摺と略平行に張設することにより、鳥が手摺に止まるのを極めて有効に防止することを見出し、本発明を完成させたものである。
【０００８】
請求項１に係る防鳥装置は、手摺に取り付ける手摺取付部と、該手摺取付部に設けられ手摺の上方において内側に行くに従って高くなるように形成された傾斜部と、該手摺取付部に設けられ手摺の外側面より外側に突出する突出部と、該傾斜部に設けられ防鳥糸を取り付けるための複数の糸取付部材と、該突出部に設けられ防鳥糸を取り付けるための少なくとも１個の糸取付部材とを有することを特徴として構成されている。
【０００９】
請求項２に係る防鳥装置は、請求項１記載の防鳥装置において、傾斜部が、鉛直面に対し３０〜７０度の角度で形成されていることを特徴として構成されている。請求項３に係る防鳥装置は、請求項３記載の防鳥装置において、傾斜部の設けた複数の糸取付部材が、１５〜２５ｍｍの間隔で設けられていることを特徴として構成されている。請求項４に係る防鳥装置は、突出部に設けた糸取付部材の手摺取付部の外側面からの長さが４０〜６０ｍｍであることを特徴として構成されている。
【発明の効果】
【００１０】
請求項１に係る防鳥装置においては、突出部が手摺の外側面より外側に突出するとともに、少なくとも１個の糸取付部材が設けられているので、糸取付部材に取付られた防鳥糸が、鳥がホバーリングしつつ手摺に接近するのを防止する。また、傾斜部に設けられた糸取付部材に取付られた防鳥糸が、手摺の上方において、傾斜した状態で複数条配置されることになる。したがって、鳥が手摺に止まろうとしても、防鳥糸が邪魔になり手摺に届かないものである。その結果、鳥が手摺に近接することを防止でき、さらに、手摺に近接したとしても手摺に止まることが出来ないものである。
【００１１】
請求項２に係る防鳥装置においては、傾斜部を鉛直面に対し３０〜７０度の角度に形成することにより、鳥が手摺に止まろうとした際、鳥の足が手摺に着地するのを確実に防止するとともに、また、傾斜部の長さを長くすることなく手摺の略全面を覆うように配置することができる。請求項３に係る防鳥装置においては、複数の糸取付部材を１５〜２５ｍｍの間隔で設けることにより、防鳥糸を可及的的に少ない本数で鳥が手摺に止まろうとするのを邪魔することができるとともに、鳥が手摺に止まるのを確実に防止することが出来る。請求項４に係る防鳥装置においては、突出部に設けた糸取付部材の手摺取付部の外側面からの長さを４０〜６０ｍｍにすることにより、鳥がホバーリングしつつ手摺に近接して来るのを確実に防止することができる。
【発明を実施するための最良の形態】
【００１２】
本発明による防鳥装置においては、手摺に取り付ける手摺取付部が設けられている。この手摺取付部は手摺に固定するためのもので、手摺に固定することができれば、形状、材質等、適宜変更することができる。例えば、金属で手摺の形状に合わせた形状に形成しても、柔軟な材質で各種形状の手摺に適用できるように形成してもよい。
【００１３】
傾斜部は、手摺取付部に手摺の上方において内側に行くに従って高くなるように形成されており、その最上端は、手摺の内側面の上方に位置することが好ましい。傾斜部は、鉛直面に対して３０〜７０度の角度であることが好ましく、４０〜６０度の角度であることがより好ましく、５０度前後の角度であることが最も好ましい。角度が３０度未満であると、手摺の全面を覆う場合、長くしなければならず、毛布等を掛ける際邪魔になるものであり、角度が７０度を越えると、手摺との距離が短くなるので、鳥が防鳥糸を踏んだまま手摺に止まることが出来る場合がある。
【００１４】
傾斜部には複数の糸取付部材が設けられており、この糸取付部材に防鳥糸を取り付けるものである。糸取付部材は所定間隔で設けることが好ましく、その間隔は、１５〜２５ｍｍであることが好ましく、２０ｍｍ前後がより好ましい。糸取付部材の間隔が１５ｍｍ未満であると、防鳥糸の取付数が多くなり、防鳥糸の取付作業が面倒になるものであり、間隔が２５ｍｍを超えると、鳥の足が入り込み手摺に止まることが出来る場合がある。
【００１５】
突出部は、手摺の外側面より外側に突出するように手摺取付部に設けられており、鳥が手摺に近接するのを防止するものである。すなわち、すなわち、鳩が手摺に止まろうとする最、鳩の習性として、手摺手前において一端ホバリングし、その状態で略水平に移動し手摺に止まろうとするものである。したがって、手摺より手前（手摺から外方向）に防鳥糸があると、その存在によってホバリングによる移動が困難となり、手摺に近接することができないものである。
【００１６】
突出部には、少なくとも１個の糸取付部材が設けられており、この糸取付部材に防鳥糸を取り付けるものであり、必要に応じて複数個設けることができる。糸取付部材の内、最外側に位置する糸取付部材は、手摺の外が面から少なくとも５０ｍｍの位置にあることが好ましい。５０ｍｍの位置とした場合、鳩の侵入を防止する効果が最も良好であった。突出部は、水平に形成しても、傾斜して形成してもよい、傾斜して形成して形成する場合は、鉛直面に対し５０度以上、９０度未満の角度で形成することが好ましい。
【００１７】
本発明による防鳥装置の一実施形態を図面を参照して説明する。図１は防鳥装置の正面図、図２は防鳥装置の側面図、図３は防鳥装置を手摺に取り付けた状態を示す斜視図である。
【００１８】
図１及び図２において、１０は手摺２に取り付けるための手摺取付部で、この手摺取付部１０の上面に、傾斜部２０と突出部３０が固定されている。前記手摺取付部１０は、ステンレス鋼からなる２枚の板状体１１、１２を組み合わせて形成されており、板状体１１は略「コ」字状に形成されるとともに、板状体１２は略逆「Ｌ」字状に形成されており、これら板状体１１と板状体１２とを組み合わせることにより、手摺２を囲繞する手摺収納空間１３が形成されている。
【００１９】
板状体１１の下方側先端には下方に突出する螺子取付片１４が形成されるとともに、板状体１２の下方側先端には下方に突出する螺子取付片１５が形成され、これら取付片１４と取付片１５とを螺子１６により所望の長さで固定出来るようになっている。また、板状体１１の上方側先端と、板状体１２の上方側先端とを螺子１７により所望の長さで固定出来るようになっている。したがって、螺子１６と螺子１７による板状体１１と板状体１２との固定の長さを調整することにより、内部の手摺収納空間１３の水平方向の長さを自由に変更することができるので、手摺収納空間１３の水平方向の長さを短くすることにより、手摺収納空間１３に収納した手摺２を左右方向から締め付けることができ、板状体１１、１２を手摺２に確実に固定出来るようになっている。また、板状体１１の上側部分の内面には、ゴム部材１８が設けられており、このゴム部材１８により手摺２を押圧した状態で収納し、上下方向から締め付けることができるので、板状体１１、１２を手摺２に確実に固定出来るようになっている。
【００２０】
板状体１１の上方最先端部は水平方向に折曲された取付片１９が形成されており、この取付片１９に前記突出部３０が固定されている。すなわち、突出部３０は、ステンレス鋼からなる板状体１１、１２と同一幅の板状に形成されており、その基端部の近傍において螺子３１により取付片１９に固定されており、また、その先端近傍には糸取付部材としての螺子３２が螺着されており、この螺子３２に防鳥糸を取り付けるものである。なお、突出部３０の手摺２から突出方向の長さａは、略５０ｍｍとなっている。
【００２１】
前記傾斜部２０は、突出部３０と一体に形成されており、突出部２０の基端部から鉛直面ｖに対する角度αは略５０度となっており、その先端は、手摺２の内側面の略上方に位置するようになっている。また、傾斜部２０には、所定間隔で４個の糸取付部材としての螺子２１が螺着されており、この螺子２１に防鳥糸を取り付けるものである。この螺子２１の間隔ｂは略２０ｍｍとなっている。
【００２２】
以上のような防鳥装置を使用するには、図３に示すように、防鳥装置１を手摺２に所定間隔で固定し、各防鳥装置１に防鳥糸２２、３３を張設することにより行なう。すなわち、手摺２の所定個所において、板状体１１と板状体１２とを手摺２に被せ、螺子１６及び螺子１７を螺着することにより、板状体１１と板状体１２とを手摺２に固定する。この時、ゴム部材１８が手摺２に圧接することになるので、板状体１１と板状体１２とは手摺２に確実に固定され摺動することが無い。この作業を順次繰り返し、手摺２の全長に渡って略同一間隔で防鳥装置１を取り付ける。
【００２３】
防鳥装置１の手摺２への取付が終了すると、突出部３０の螺子３２間に防鳥糸３３を張設するとともに、同様に、傾斜部２０の螺子２１間に防鳥糸２２を張設する。これにより防鳥装置１による防鳥構造が完了する。
【００２４】
このような防鳥装置においては、鳩が手摺２に止まるのを確実に防止することができる。すなわち、鳩が手摺２に止まろうとしてホバーリングして来ると、突出部３０の防鳥糸３３が存在するので、防鳥糸３３より手摺２に近接することが出来ず、引き返すしかないものである。また、防鳥糸３３を越え、手摺２に近接できたとしても、傾斜部２０の防鳥糸２２が手摺２の全面を覆っているので、着地しようとする鳩の邪魔になり、そのまま手摺２まで足が届かないものである。したがって、鳩は手摺２に着地することが出来ず、引き返すしかないものである。
【図面の簡単な説明】
【００２５】
【図１】本発明による防鳥装置の一実施形態の正面図
【図２】本発明による防鳥装置の一実施形態の側面図
【図３】本発明による防鳥装置の一実施形態を手摺に取り付けた状態を示す斜視図
【符号の説明】
【００２６】
１    防鳥装置
２    手摺
１０  手摺取付部
２０  傾斜部
２１  螺子（糸取付部材）
２２  防鳥糸
３０  突出部
３２  螺子（糸取付部材）
３３  防鳥糸
【図１】
2007236212.tif 000003
【図２】
2007236212.tif 000004
【図３】
2007236212.tif 000005